【手続補正書】
【提出日】平成27年3月26日(2015.3.26)
【手続補正１】
【補正対象書類名】特許請求の範囲
【補正対象項目名】全文
【補正方法】変更
【補正の内容】
【特許請求の範囲】
【請求項１】
球通路を構成するユニットと、
遊技盤と、
を備えた遊技台であって、
前記ユニットは、第一の壁を含んで構成されるユニットであり、
前記ユニットは、第二の壁を含んで構成されるユニットであり、
前記ユニットは、検出手段を含んで構成されるユニットであり、
前記第一の壁は、前記第二の壁よりも後ろに設けられた壁であり、
前記第一の壁および前記第二の壁のうちの少なくとも一方の壁は、減速手段が設けられた壁であり、
前記第一の壁および前記第二の壁のうちの他方の壁に接触した遊技球が、前記一方の壁に接触可能に構成されており、
前記球通路の入口から進入した遊技球が、該球通路の第一の出口へ案内される場合があり、
前記入口から進入した遊技球が、前記球通路の第二の出口へ案内される場合があり、
前記検出手段は、前記第一の出口から出た遊技球を検出する手段であり、
前記減速手段は、前記検出手段よりも上流に設けられた手段である、
ことを特徴とする遊技台。
【請求項２】
請求項１に記載の遊技台であって、
前記減速手段とは、一または複数の凸により構成された手段である、
ことを特徴とする遊技台。
【請求項３】
請求項１または２に記載の遊技台であって、
前記一方の壁とは、前記第一の壁のことであり、
前記第一の壁における第一の面は、前記減速手段が少なくとも設けられた面である、
ことを特徴とする遊技台。
【請求項４】
請求項３に記載の遊技台であって、
前記減速手段とは、第一の減速手段のことであり、
前記第二の壁における第二の面は、前記第一の面の少なくとも一部と向かい合う位置の面であり、
前記第二の面は、第二の減速手段が少なくとも設けられた面である、
ことを特徴とする遊技台。
【請求項５】
請求項４に記載の遊技台であって、
前記第二の減速手段とは、一または複数の凸により構成された手段である、
ことを特徴とする遊技台。
【請求項６】
請求項１乃至５のいずれか一項に記載の遊技台であって、
前記ユニットは、前記遊技盤の前側に設けられたユニットである、
ことを特徴とする遊技台。
【請求項７】
請求項１乃至６のいずれか一項に記載の遊技台であって、
前記ユニットは、アタッカーを含んで構成されたユニットであり、
前記検出手段は、前記アタッカーの内部へ進入した遊技球を検出する手段である、
ことを特徴とする遊技台。
【請求項８】
請求項１乃至６のいずれか一項に記載の遊技台であって、
前記ユニットは、電チューを含んで構成されたユニットであり、
前記検出手段は、前記電チューの内部へ進入した遊技球を検出する手段である、
ことを特徴とする遊技台。
【請求項９】
請求項１乃至８のいずれか一項に記載の遊技台であって、
前記ユニットは、複数の部品から構成されたユニットであり、
前記複数の部品のうちの一つは、第一の部品であり、
前記複数の部品のうちの一つは、第二の部品であり、
前記第一の部品は、前記第一の壁を含んで構成される部品であり、
前記第二の部品は、前記第二の壁を含んで構成される部品である、
ことを特徴とする遊技台。
【請求項１０】
請求項１乃至９のいずれか一項に記載の遊技台であって、
前記入口から進入した遊技球が、前記第一の出口および前記第二の出口のうちの一方の出口へ案内されるように構成されている、
ことを特徴とする遊技台。
【手続補正２】
【補正対象書類名】明細書
【補正対象項目名】０００６
【補正方法】変更
【補正の内容】
【０００６】
本発明は上記の目的を達成するために、球通路を構成するユニットと、遊技盤と、を備えた遊技台であって、前記ユニットは、第一の壁を含んで構成されるユニットであり、前記ユニットは、第二の壁を含んで構成されるユニットであり、前記ユニットは、検出手段を含んで構成されるユニットであり、前記第一の壁は、前記第二の壁よりも後ろに設けられた壁であり、前記第一の壁および前記第二の壁のうちの少なくとも一方の壁は、減速手段が設けられた壁であり、前記第一の壁および前記第二の壁のうちの他方の壁に接触した遊技球が、前記一方の壁に接触可能に構成されており、前記球通路の入口から進入した遊技球が、該球通路の第一の出口へ案内される場合があり、前記入口から進入した遊技球が、前記球通路の第二の出口へ案内される場合があり、前記検出手段は、前記第一の出口から出た遊技球を検出する手段であり、前記減速手段は、前記検出手段よりも上流に設けられた手段である、ことを特徴とする。
【手続補正３】
【補正対象書類名】明細書
【補正対象項目名】０３６３
【補正方法】変更
【補正の内容】
【０３６３】
＜付記５＞
なお、以上説明した本発明は、
１．（図３０参照）
球通路（例えば、壁部５７０８と壁部５７０９と基部５７０２ａと向かい合う位置にある基部と基部５７０２ａで形成される球通路、壁部５７１０と壁部５７１１と基部５７０２ａと向かい合う位置にある基部と基部５７０２ａで形成される球通路）を構成するユニット（例えば、球通路ユニット５７００）と、
遊技盤（例えば、遊技盤２００）と、
を備えた遊技台であって、
前記ユニットは、第一の壁（例えば、基部５７０２ａ）を含んで構成されるユニットであり、
前記ユニットは、第二の壁（例えば、基部５７０２ａと向かい合う位置にある基部）を含んで構成されるユニットであり、
前記ユニットは、検出手段（例えば、センサ固定部５７０２ｂに固定されるセンサユニット２２８ａ）を含んで構成されるユニットであり、
前記第一の壁は、前記第二の壁よりも後ろに設けられた壁であり、
前記第一の壁および前記第二の壁のうちの少なくとも一方の壁は、減速手段（例えば、凸部５７２３、凸部５７２４、基部５７０２ａと向かい合う位置にある基部に設けた凸部）が設けられた壁であり、
前記第一の壁および前記第二の壁のうちの他方の壁に接触した遊技球が、前記一方の壁に接触可能に構成されており、
前記球通路の入口（例えば、開口部５７００ａ）から進入した遊技球が、該球通路の第一の出口（例えば、センサ固定部５７０２ｂの上の出口、センサ固定部５７０２ｂに固定されるセンサユニット２２８ａに向けて開口した出口、「壁部５７０８と、壁部５７０９と、基部５７０２ａと、基部５７０２ａと向かい合う一にある基部」から構成される球通路の下の開口）へ案内される場合があり、
前記入口から進入した遊技球が、前記球通路の第二の出口（例えば、開口部５７００ｄ）へ案内される場合があり、
前記検出手段は、前記第一の出口から出た遊技球を検出する手段であり、
前記減速手段は、前記検出手段よりも上流に設けられた手段である、
ことを特徴とする遊技台、とした。
また本発明は、
２．
１．に記載の遊技台であって、
前記減速手段とは、一または複数の凸により構成された手段である、
ことを特徴とする遊技台、とした。
また本発明は、
３．
１．または２．に記載の遊技台であって、
前記一方の壁とは、前記第一の壁のことであり、
前記第一の壁における第一の面（例えば、第一の壁部の第二の壁部側の面）は、前記減速手段が少なくとも設けられた面である、
ことを特徴とする遊技台、とした。
また本発明は、
４．
３．に記載の遊技台であって、
前記減速手段とは、第一の減速手段のことであり、
前記第二の壁における第二の面（例えば、第二の壁部の第一の壁部側の面）は、前記第一の面の少なくとも一部と向かい合う位置の面であり、
前記第二の面は、第二の減速手段が少なくとも設けられた面である、
ことを特徴とする遊技台、とした。
また本発明は、
５．
４．に記載の遊技台であって、
前記第二の減速手段とは、一または複数の凸により構成された手段である、
ことを特徴とする遊技台、とした。
また本発明は、
６．
１．乃至５．のいずれか一項に記載の遊技台であって、
前記ユニットは、前記遊技盤の前側に設けられたユニットである、
ことを特徴とする遊技台、とした。
また本発明は、
７．（段落［０２８７］参照）
１．乃至６．のいずれか一項に記載の遊技台であって、
前記ユニットは、アタッカー（例えば、可変入賞口２３４）を含んで構成されたユニットであり、
前記検出手段は、前記アタッカーの内部へ進入した遊技球を検出する手段である、
ことを特徴とする遊技台、とした。
また本発明は、
８．（段落［０２８７］参照）
１．乃至６．のいずれか一項に記載の遊技台であって、
前記ユニットは、電チュー（例えば、第２特図始動口２３２）を含んで構成されたユニットであり、
前記検出手段は、前記電チューの内部へ進入した遊技球を検出する手段である、
ことを特徴とする遊技台、とした。
また本発明は、
９．（図４参照）
１．乃至８．のいずれか一項に記載の遊技台であって、
前記ユニットは、複数の部品から構成されたユニットであり、
前記複数の部品のうちの一つは、第一の部品（例えば、ベース５７０２と対向する部品）であり、
前記複数の部品のうちの一つは、第二の部品（例えば、ベース５７０２）であり、
前記第一の部品は、前記第一の壁を含んで構成される部品であり、
前記第二の部品は、前記第二の壁を含んで構成される部品である、
ことを特徴とする遊技台、とした。
また本発明は、
１０．（図２０参照、遊技球はリブ２７２８に誘導されて開口部２７００ｂ側に進行することで、一方の出口に案内される）
１．乃至９．のいずれか一項に記載の遊技台であって、
前記入口から進入した遊技球が、前記第一の出口および前記第二の出口のうちの一方の出口へ案内されるように構成されている、
ことを特徴とする遊技台、とした。
本発明の態様は、上述した個々の実施例に限定されるものではなく、個々の実施例の各要素のいかなる組合せも本発明に含み、また、当業者が想到しうる種々の変形も含むものであり、本発明の効果も上述した内容に限定されない。すなわち、特許請求の範囲に規定された内容およびその均等物から導き出される本発明の概念的な思想と趣旨を逸脱しない範囲で種々の追加、変更および部分的削除が可能である。